(57)【要約】【課題】  冷却装置によって生じる騒音を十分に低減することを可能とする投写型映像表示装置を提供する。【解決手段】  投写型映像表示装置１００は、光源１０を少なくとも冷却する冷却装置３００と、光源１０への入力電力を制御する光源制御部２３０と、液晶パネル５０を制御する素子制御部２５０と、冷却装置３００の冷却能力を制御する冷却制御部２４０とを備える。光源制御部２３０は、静音モードにおいて、光源１０への入力電力を切らずに、光源１０への入力電力を安定入力電力閾値よりも減少する。素子制御部２５０は、静音モードにおいて、投写面上に投写される映像の輝度を非視聴用輝度に減少する。冷却制御部２４０は、静音モードにおいて、冷却装置３００の冷却能力を減少する。【選択図】  図４
2010243788.tif 000002
【特許請求の範囲】
【請求項１】
光源と、前記光源から出射された光を変調する光変調素子と、前記光変調素子から出射された光を投写面上に投写する投写ユニットとを備える投写型映像表示装置であって、
前記光源を少なくとも冷却する冷却装置と、
前記光源への入力電力を制御する光源制御部と、
前記投写面上に投写される映像の輝度を制御する光量制御部と、
前記冷却装置の冷却能力を制御する冷却制御部とを備え、
前記光源制御部は、静音モードにおいて、前記光源への入力電力を切らずに、前記光源への入力電力を安定入力電力閾値よりも減少し、
前記光量制御部は、前記静音モードにおいて、前記投写面上に投写される映像の輝度を非視聴用輝度に減少し、
前記冷却制御部は、前記静音モードにおいて、前記冷却装置の冷却能力を減少し、
前記安定入力電力閾値は、前記光源の動作が安定する入力電力の閾値であることを特徴とする投写型映像表示装置。
【請求項２】
前記光量制御部は、前記静音モードにおいて、前記光変調素子の制御によって、前記投写面上に投写される映像の輝度を前記非視聴用輝度に減少することを特徴とする請求項１に記載の投写型映像表示装置。
【請求項３】
前記光源と前記光変調素子との間に設けられており、前記光源から出射される光を絞る機能を有するアイリス機構をさらに備え、
前記光量制御部は、前記静音モードにおいて、前記アイリス機構の制御によって、前記投写面上に投写される映像の輝度を前記非視聴用輝度に減少することを特徴とする請求項１に記載の投写型映像表示装置。
【請求項４】
前記光源制御部は、通常モードにおいて、前記光源への入力電力を通常入力電力に制御し、省エネルギーモードにおいて、前記光源への入力電力を省エネルギー入力電力に制御し、
前記省エネルギー入力電力は、前記安定入力電力閾値よりも大きく、前記通常入力電力よりも小さいことを特徴とする請求項１に記載の投写型映像表示装置。
【請求項５】
前記光源制御部は、前記静音モードにおいて、一定時間毎に、前記光源への入力電力を前記安定入力電力閾値よりも増大することを特徴とする請求項１に記載の投写型映像表示装置。
【発明の詳細な説明】
【技術分野】
【０００１】
本発明は、光源から出射された光を変調する光変調素子と、光変調素子から出射された光を投写面上に投写する投写ユニットとを備える投写型映像表示装置に関する。
【背景技術】
【０００２】
従来、光源と、光源から出射された光を変調する光変調素子と、光変調素子から出射された光を投写面上に投写する投写ユニットとを有する投写型映像表示装置が知られている。
【０００３】
光源は、光の出射によって発熱し、光変調素子は、光の照射によって発熱する。従って、投写型映像表示装置には、光源及び光変調素子を冷却するために、光源及び光変調素子を冷却する冷却装置（例えば、冷却ファン）が設けられる。
【０００４】
ここで、投写型映像表示装置は、会議や講義などに用いられるため、冷却装置によって生じる騒音を低減することが望ましい。
【０００５】
これに対して、通常モード及び省エネルギーモードを有する投写型映像表示装置が知られている。通常モードでは、光源への入力電力が通常入力電力に制御され、省エネルギーモードでは、光源への入力電力が省エネルギー入力電力に制御される。省エネルギー入力電力は、通常入力電力よりも小さいことは勿論である。
【０００６】
省エネルギーモードでは、光源から出射される光量が減少するため、光源及び光変調素子の発熱量が減少する。従って、省エネルギーモードでは、通常モードに比べて、冷却装置の冷却能力を減少することができる。これによって、冷却装置によって生じる騒音の低減が図られている（例えば、特許文献１）。
【先行技術文献】
【特許文献】
【０００７】
【特許文献１】特開平１１−２８８７９０号公報
【発明の概要】
【発明が解決しようとする課題】
【０００８】
ところで、光源への入力電力が動作安定電力閾値よりも小さくなると、光源内部の温度分布が変化する。これに伴って、光源から出射される光量の分布が不安定になり、フリッカが生じてしまう。動作安定電力閾値は、光源の動作が安定する入力電力の閾値である。
【０００９】
従って、省エネルギーモードであっても、光源への入力電力を動作安定電力閾値よりも小さくすることは好ましくない。例えば、省エネルギー入力電力は、最大入力電力の６０％〜８０％である。すなわち、省エネルギーモードであっても、冷却装置の冷却能力を十分に減少することができないため、冷却装置によって生じる騒音の低減が不十分であった。
【００１０】
そこで、本発明は、上述した課題を解決するためになされたものであり、冷却装置によって生じる騒音を十分に低減することを可能とする投写型映像表示装置を提供することを目的とする。
【課題を解決するための手段】
【００１１】
第１の特徴に係る投写型映像表示装置は、光源（光源１０）と、前記光源から出射された光を変調する光変調素子（液晶パネル５０）と、前記光変調素子から出射された光を投写面上に投写する投写ユニット（投写ユニット１１０）とを備える。投写型映像表示装置は、前記光源を少なくとも冷却する冷却装置（冷却装置３００）と、前記光源への入力電力を制御する光源制御部（光源制御部２３０）と、前記投写面上に投写される映像の輝度を制御する光量制御部（素子制御部２５０又はアイリス制御部２６０）と、前記冷却装置の冷却能力を制御する冷却制御部（冷却制御部２４０）とを備える。前記光源制御部は、静音モードにおいて、前記光源への入力電力を切らずに、前記光源への入力電力を安定入力電力閾値よりも減少する。前記光量制御部は、前記静音モードにおいて、前記投写面上に投写される映像の輝度を非視聴用輝度に減少する。前記冷却制御部は、前記静音モードにおいて、前記冷却装置の冷却能力を減少する。前記安定入力電力閾値は、前記光源の動作が安定する入力電力の閾値である。
【００１２】
第１の特徴において、前記光量制御部は、前記静音モードにおいて、前記光変調素子の制御によって、前記投写面上に投写される映像の輝度を前記非視聴用輝度に減少する。
【００１３】
第１の特徴において、投写型映像表示装置は、前記光源と前記光変調素子との間に設けられており、前記光源から出射される光を絞る機能を有するアイリス機構（アイリス機構４００）をさらに備える。前記光量制御部は、前記静音モードにおいて、前記アイリス機構の制御によって、前記投写面上に投写される映像の輝度を前記非視聴用輝度に減少する。
【００１４】
第１の特徴において、前記光源制御部は、通常モードにおいて、前記光源への入力電力を通常入力電力に制御し、省エネルギーモードにおいて、前記光源への入力電力を省エネルギー入力電力に制御する。前記省エネルギー入力電力は、前記安定入力電力閾値よりも大きく、前記通常入力電力よりも小さい。
【００１５】
第１の特徴において、前記光源制御部は、前記静音モードにおいて、一定時間毎に、前記光源への入力電力を前記安定入力電力閾値よりも増大する。
【発明の効果】
【００１６】
本発明によれば、冷却装置によって生じる騒音を十分に低減することを可能とする投写型映像表示装置を提供することができる。
【図面の簡単な説明】
【００１７】
【図１】第１実施形態に係る投写型映像表示装置１００を示す図である。
【図２】第１実施形態に係る冷却装置３００を示す図である。
【図３】第１実施形態に係る冷却装置３００を示す図である。
【図４】第１実施形態に係る制御ユニット２００を示す図である。
【図５】第１実施形態に係る光源１０への入力電力を示す図である。
【図６】変更例１に係る投写型映像表示装置１００を示す図である。
【図７】変更例１に係る制御ユニット２００を示す図である。
【発明を実施するための形態】
【００１８】
以下において、本発明の実施形態に係る投写型映像表示装置について、図面を参照しながら説明する。なお、以下の図面の記載において、同一又は類似の部分には、同一又は類似の符号を付している。
【００１９】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２０】
［実施形態の概要］
実施形態に係る投写型映像表示装置は、光源と、光源から出射された光を変調する光変調素子と、光変調素子から出射された光を投写面上に投写する投写ユニットとを備える。投写型映像表示装置は、光源を少なくとも冷却する冷却装置と、光源への入力電力を制御する光源制御部と、投写面上に投写される映像の輝度を制御する光量制御部と、冷却装置の冷却能力を制御する冷却制御部とを備える。
【００２１】
光源制御部は、静音モードにおいて、光源への入力電力を切らずに、光源への入力電力を安定入力電力閾値よりも減少する。光量制御部は、静音モードにおいて、投写面上に投写される映像の輝度を非視聴用輝度に減少する。冷却制御部は、静音モードにおいて、冷却装置の冷却能力を減少する。安定入力電力閾値は、光源の動作が安定する入力電力の閾値である。
【００２２】
実施形態では、投写型映像表示装置は、安定入力電力閾値よりも小さい電力で光源への入力電力を制御する静音モードを有する。静音モードでは、投写面上に投写される映像の輝度が非視聴用輝度に減少される。
【００２３】
なお、非視聴用輝度は、光源への入力電力が安定入力電力閾値よりも減少することによって生じるフリッカが目立たない程度の輝度である。また、非視聴用輝度の映像は、視聴者の視聴を目的としていない映像である。例えば、会議や講義などにおいて、投写面上に投写される映像を必要としないケースにおいて、非視聴用輝度の映像が用いられる。すなわち、静音モードは、このようなケースで用いられる動作モードである。
【００２４】
このように、静音モードにおいて、光源への入力電力が安定入力電力閾値よりも減少され、冷却装置の冷却能力が減少されるため、冷却装置によって生じる騒音を十分に低減することができる。
【００２５】
また、静音モードにおいて、光源への入力電力が切られないため、静音モードを解除した場合に、光源から出射される光量を速やかに立ち上げることができる。
【００２６】
［第１実施形態］
（投写型映像表示装置の構成）
以下において、第１実施形態に係る投写型映像表示装置について、図面を参照しながら説明する。図１は、第１実施形態に係る投写型映像表示装置１００を示す図である。
【００２７】
図１に示すように、投写型映像表示装置１００は、投写ユニット１１０と、照明ユニット１２０とを有する。
【００２８】
投写ユニット１１０は、照明ユニット１２０から出射された映像光を投写面（不図示）上などに投写する。
【００２９】
第１に、照明ユニット１２０は、光源１０と、ＵＶ／ＩＲカットフィルタ２０と、フライアイレンズユニット３０と、ＰＢＳアレイ４０と、複数の液晶パネル５０（液晶パネル５０Ｒ、液晶パネル５０Ｇ及び液晶パネル５０Ｂ）と、クロスダイクロイックプリズム６０とを有する。
【００３０】
光源１０は、光を発する光源（例えば、ＵＨＰランプやキセノンランプ）などである。すなわち、光源１０が発する光は、赤成分光Ｒ、緑成分光Ｇ及び青成分光Ｂを含む。
【００３１】
ＵＶ／ＩＲカットフィルタ２０は、可視光成分（赤成分光Ｒ、緑成分光Ｇ及び青成分光Ｂ）を透過する。ＵＶ／ＩＲカットフィルタ２０は、赤外光成分や紫外光成分を遮光する。
【００３２】
フライアイレンズユニット３０は、光源１０が発する光を均一化する。具体的には、フライアイレンズユニット３０は、フライアイレンズ３０ａ及びフライアイレンズ３０ｂによって構成される。フライアイレンズ３０ａ及びフライアイレンズ３０ｂは、それぞれ、複数の微少レンズによって構成される。各微少レンズは、光源１０が発する光が液晶パネル５０の全面に照射されるように、光源１０が発する光を集光する。
【００３３】
ＰＢＳアレイ４０は、フライアイレンズユニット３０から出射された光の偏光状態を揃える。例えば、ＰＢＳアレイ４０は、フライアイレンズユニット３０から出射された光をＳ偏光（又はＰ偏光）に揃える。
【００３４】
液晶パネル５０Ｒは、赤出力信号Ｒｏｕｔに基づいて赤成分光Ｒを変調する。液晶パネル５０Ｒに光が入射する側には、一の偏光方向（例えば、Ｓ偏光）を有する光を透過して、他の偏光方向（例えば、Ｐ偏光）を有する光を遮光する入射側偏光板５２Ｒが設けられている。液晶パネル５０Ｒから光が出射する側には、一の偏光方向（例えば、Ｓ偏光）を有する光を遮光して、他の偏光方向（例えば、Ｐ偏光）を有する光を透過する出射側偏光板５３Ｒが設けられている。
【００３５】
液晶パネル５０Ｇは、緑出力信号Ｇｏｕｔに基づいて緑成分光Ｇを変調する。液晶パネル５０Ｇに光が入射する側には、一の偏光方向（例えば、Ｓ偏光）を有する光を透過して、他の偏光方向（例えば、Ｐ偏光）を有する光を遮光する入射側偏光板５２Ｇが設けられる。一方で、液晶パネル５０Ｇから光が出射する側には、一の偏光方向（例えば、Ｓ偏光）を有する光を遮光して、他の偏光方向（例えば、Ｐ偏光）を有する光を透過する出射側偏光板５３Ｇが設けられる。
【００３６】
液晶パネル５０Ｂは、青出力信号Ｂｏｕｔに基づいて青成分光Ｂを変調する。液晶パネル５０Ｂに光が入射する側には、一の偏光方向（例えば、Ｓ偏光）を有する光を透過して、他の偏光方向（例えば、Ｐ偏光）を有する光を遮光する入射側偏光板５２Ｂが設けられる。一方で、液晶パネル５０Ｂから光が出射する側には、一の偏光方向（例えば、Ｓ偏光）を有する光を遮光して、他の偏光方向（例えば、Ｐ偏光）を有する光を透過する出射側偏光板５３Ｂが設けられる。
【００３７】
なお、赤出力信号Ｒｏｕｔ、緑出力信号Ｇｏｕｔ及び青出力信号Ｂｏｕｔは、映像出力信号を構成する。映像出力信号は、１フレームを構成する複数の画素毎の信号である。
【００３８】
ここで、各液晶パネル５０には、コントラスト比や透過率を向上させる補償板（不図示）が設けられていてもよい。また、各偏光板は、偏光板に入射する光の光量や熱負担を軽減させるプリ偏光板を有していてもよい。
【００３９】
クロスダイクロイックプリズム６０は、液晶パネル５０Ｒ、液晶パネル５０Ｇ及び液晶パネル５０Ｂから出射される光を合成する色合成部を構成する。クロスダイクロイックプリズム６０から出射された合成光は、投写ユニット１１０に導かれる。
【００４０】
第２に、照明ユニット１２０は、ミラー群（ミラー７１〜ミラー７６）及びレンズ群（レンズ８１〜レンズ８５）を有する。
【００４１】
ミラー７１は、青成分光Ｂを透過して、赤成分光Ｒ及び緑成分光Ｇを反射するダイクロイックミラーである。ミラー７２は、赤成分光Ｒを透過して、緑成分光Ｇを反射するダイクロイックミラーである。ミラー７１及びミラー７２は、赤成分光Ｒ、緑成分光Ｇ及び青成分光Ｂを分離する色分離部を構成する。
【００４２】
ミラー７３は、赤成分光Ｒ、緑成分光Ｇ及び青成分光Ｂを反射して、赤成分光Ｒ、緑成分光Ｇ及び青成分光Ｂをミラー７１側に導く。ミラー７４は、青成分光Ｂを反射して、青成分光Ｂを液晶パネル５０Ｂ側に導く。ミラー７５及びミラー７６は、赤成分光Ｒを反射して、赤成分光Ｒを液晶パネル５０Ｒ側に導く。
【００４３】
レンズ８１は、ＰＢＳアレイ４０から出射された光を集光するコンデンサレンズである。レンズ８２は、ミラー７３で反射された光を集光するコンデンサレンズである。
【００４４】
レンズ８３Ｒは、液晶パネル５０Ｒに赤成分光Ｒが照射されるように、赤成分光Ｒを略平行光化する。レンズ８３Ｇは、液晶パネル５０Ｇに緑成分光Ｇが照射されるように、緑成分光Ｇを略平行光化する。レンズ８３Ｂは、液晶パネル５０Ｂに青成分光Ｂが照射されるように、青成分光Ｂを略平行光化する。
【００４５】
レンズ８４及びレンズ８５は、赤成分光Ｒの拡大を抑制しながら、液晶パネル５０Ｒ上に赤成分光Ｒを略結像するリレーレンズである。
【００４６】
（冷却装置の構成）
以下において、第１実施形態に係る冷却装置について、図面を参照しながら説明する。図２及び図３は、第１実施形態に係る冷却装置３００を示す図である。
【００４７】
第１実施形態では、冷却装置３００の一例として、光源１０及び液晶パネル５０に風を送る冷却ファンについて例示する。
【００４８】
図２に示すように、冷却装置３００Ａは、光源１０に風を送る冷却ファンである。冷却装置３００Ａの冷却能力（すなわち、冷却ファンの回転数）は、後述する制御ユニット２００によって制御される。
【００４９】
図３に示すように、冷却装置３００Ｂは、液晶パネル５０に風を送る冷却ファンである。冷却装置３００Ｂの冷却能力（すなわち、冷却ファンの回転数）は、後述する制御ユニット２００によって制御される。
【００５０】
（投写型映像表示装置の機能）
以下において、第１実施形態に係る投写型映像表示装置の機能について、図面を参照しながら説明する。図４は、第１実施形態に係る投写型映像表示装置１００に設けられた制御ユニット２００を示すブロック図である。
【００５１】
ここで、制御ユニット２００は、映像入力信号を映像出力信号に変換して、映像出力信号を出力する。映像入力信号は、フレーム毎の信号であり、赤入力信号Ｒｉｎ、緑入力信号Ｇｉｎ及び青入力信号Ｂｉｎを含む。映像出力信号は、フレーム毎の信号であり、赤出力信号Ｒｏｕｔ、緑出力信号Ｇｏｕｔ及び青出力信号Ｂｏｕｔを含む。
【００５２】
図４に示すように、制御ユニット２００は、映像信号受付部２１０と、モード取得部２２０と、光源制御部２３０と、冷却制御部２４０と、素子制御部２５０とを有する。
【００５３】
映像信号受付部２１０は、ＤＶＤやＴＶチューナなどの外部装置から映像入力信号を受付ける。
【００５４】
モード取得部２２０は、投写型映像表示装置１００の動作モードを取得する。動作モードは、通常モード、省エネルギーモード及び静音モードである。
【００５５】
通常モードは、光源１０への入力電力が通常入力電力に制御される動作モードである。省エネルギーモードは、光源１０への入力電力が通常入力電力よりも小さい省エネルギー入力電力に制御される動作モードである。静音モードは、光源１０への入力電力が安定入力電力閾値よりも小さい静音入力電力に制御されるモードである。
【００５６】
具体的には、図５に示すように、光源１０には、最大電力閾値、安定入力電力閾値及び最小電力閾値が定められている。最大電力閾値、安定入力電力閾値及び最小電力閾値は、光源１０の種類などによって定められる。
【００５７】
最大電力閾値は、光源１０に許容される最大の入力電力の閾値である。例えば、最大電力閾値は、光源１０への入力電力の最大定格である。
【００５８】
安定入力電力閾値は、光源１０の動作が安定する入力電力の閾値である。すなわち、光源１０への入力電力が安定入力電力閾値よりも大きい場合には、光源１０の動作が安定する。一方で、光源１０への入力電力が安定入力電力閾値よりも小さい場合には、光源１０の動作が不安定になる。
【００５９】
最小電力閾値は、光源１０への入力電力を増大した場合に、入力電力に対する出射光量の増大率が所定率以上となる入力電力の閾値である。すなわち、光源１０への入力電力が最小電力閾値よりも大きい場合には、増大率が所定率以上であり、光源１０から出射される光量が速やかに立ち上がる。一方で、光源１０への入力電力が最小電力閾値よりも小さい場合には、増大率が所定率未満であり、光源１０から出射される光量が立ち上がりにくい。
【００６０】
図５に示すように、通常モードの通常入力電力Ａは、最大電力閾値以下である。通常入力電力Ａは、最大電力閾値と同じであってもよい。通常入力電力Ａは、図５に示すように、一定幅を有していてもよい。
【００６１】
省エネルギーモードの省エネルギー入力電力Ｂは、通常入力電力Ａよりも小さく、安定入力電力閾値よりも大きい。省エネルギー入力電力Ｂは、例えば、最大電力閾値の６０％〜８０％である。省エネルギー入力電力Ｂは、図５に示すように、一定幅を有していてもよい。
【００６２】
静音モードの静音入力電力Ｃは、安定動作電力閾値よりも小さく、最小電力閾値よりも大きい。静音入力電力Ｃは、図５に示すように、一定幅を有していてもよい。
【００６３】
ここで、投写型映像表示装置１００の動作モードは、ユーザによって手動で切り替えられてもよい。このようなケースでは、モード取得部２２０は、ユーザによる切り替え操作の検出によって、動作モードを取得する。
【００６４】
また、通常モードや省エネルギーモードにおいて、一定時間に亘って何の操作も受け付けられない場合に、これらの動作モードから静音モードへの切り替えが行われてもよい。このようなケースでは、モード取得部２２０は、何の操作も行われない時間が一定時間に達したことを検出して、動作モードとして静音モードを取得する。
【００６５】
光源制御部２３０は、光源１０への入力電力を制御する。具体的には、光源制御部２３０は、通常モードにおいて、光源１０への入力電力を通常入力電力Ａに制御する。光源制御部２３０は、省エネルギーモードにおいて、光源１０への入力電力を省エネルギー入力電力Ｂに制御する。光源制御部２３０は、静音モードにおいて、光源１０への入力電力を静音入力電力Ｃに制御する。すなわち、光源制御部２３０は、静音モードにおいて、光源１０への入力電力を切らずに、光源１０への入力電力を安定動作電力閾値よりも減少する。
【００６６】
冷却制御部２４０は、冷却装置３００の冷却能力（第１実施形態では、冷却ファンの回転数）を制御する。具体的には、冷却制御部２４０は、光源１０への入力電力の減少量に応じて、冷却装置３００の冷却能力を減少する。すなわち、省エネルギーモードにおいて、冷却制御部２４０は、通常動作モードよりも冷却装置３００の冷却能力を減少する。また、静音モードにおいて、冷却制御部２４０は、省エネルギーモードよりも冷却装置３００の冷却能力を減少する。
【００６７】
素子制御部２５０は、映像入力信号を映像出力信号に変換して、映像出力信号に基づいて、液晶パネル５０を制御する。具体的には、素子制御部２５０は、静音モードにおいて、投写面上に投写される映像の輝度が非視聴用輝度となるように、映像出力信号を補正（減少）する。
【００６８】
すなわち、第１実施形態では、素子制御部２５０は、静音モードにおいて、投写面上に投写される映像の輝度を非視聴用輝度に減少する光量制御部を構成する。
【００６９】
なお、非視聴用輝度は、光源１０への入力電力が安定入力電力閾値よりも減少することによって生じるフリッカが目立たない程度の輝度である。また、非視聴用輝度の映像は、視聴者の視聴を目的としていない映像である。例えば、会議や講義などにおいて、投写面上に投写される映像を必要としないケースにおいて、非視聴用輝度の映像が用いられる。
【００７０】
例えば、素子制御部２５０は、以下に示す映像が非視聴用輝度の映像が投写面上に投写されるように、液晶パネル５０（映像出力信号）を制御する。
【００７１】
（１）  映像出力信号の一律減少
具体的には、素子制御部２５０は、映像出力信号に一定比率（例えば、３０％）を乗算して、映像出力信号を減少させる。このような制御によると、非視聴用輝度の映像は、オリジナルの映像を残しながら、全体的に暗くなった映像となる。上述したように、非視聴用輝度の映像は、視聴者の視聴を目的としていない映像であるが、視聴者に見えても差し支えない。
【００７２】
（２）グレー表示
具体的には、素子制御部２５０は、映像出力信号に代えて、グレーを表示するための映像信号に基づいて、液晶パネル５０を制御する。このような制御によると、非視聴用輝度の映像は、フレーム全体がグレーの映像となる。上述したように、非視聴用輝度の映像は、視聴者の視聴を目的としていない映像であるため、投写面上に投写されるグレーの映像の輝度は、非視聴用輝度に落とされる。
【００７３】
（３）黒表示
具体的には、素子制御部２５０は、映像出力信号に代えて、黒を表示するための映像信号に基づいて、液晶パネル５０を制御する。このような制御によると、非視聴用輝度の映像は、フレーム全体が黒の映像となる。
【００７４】
（作用及び効果）
第１実施形態では、投写型映像表示装置１００は、安定入力電力閾値よりも小さい電力で光源１０への入力電力を制御する静音モードを備える。静音モードでは、投写面上に投写される映像の輝度が非視聴用輝度に減少される。
【００７５】
なお、非視聴用輝度の映像は、上述したように、視聴者の視聴を目的としていない映像である。例えば、会議や講義などにおいて、投写面上に投写される映像を必要としないケースにおいて、非視聴用輝度の映像が用いられる。すなわち、静音モードは、このようなケースで用いられる動作モードである。
【００７６】
このように、静音モードにおいて、光源１０への入力電力が安定入力電力閾値よりも減少され、光源１０への入力電力の減少量に応じて、冷却装置３００の冷却能力が減少されるため、冷却装置３００によって生じる騒音を十分に低減することができる。
【００７７】
また、静音モードにおいて、光源１０への入力電力が切られないため、静音モードを解除した場合に、光源１０から出射される光量を速やかに立ち上げることができる。
【００７８】
第１実施形態では、素子制御部２５０が液晶パネル５０を制御することによって、静音モードにおいて、投写面上に投写される映像の輝度が非視聴用輝度に減少される。これによって、光源１０への入力電力を安定動作電力閾値よりも減少して、フリッカが生じる場合であっても、視聴者に与える違和感が軽減される。
【００７９】
［変更例１］
以下において、第１実施形態の変更例１について、図面を参照しながら説明する。以下においては、第１実施形態との相違点について主として説明する。
【００８０】
具体的には、第１実施形態では、液晶パネル５０の制御によって、投写面上に投写される映像の輝度が非視聴用輝度に減少される。これに対して、変更例１では、アイリス機構の制御によって、投写面上に投写される映像の輝度が非視聴用輝度に減少される。
【００８１】
（投写型映像表示装置の構成）
以下において、変更例１に係る投写型映像表示装置について、図面を参照しながら説明する。図６は、変更例１に係る投写型映像表示装置１００を示す図である。
【００８２】
図６に示すように、投写型映像表示装置１００は、図１に示す構成に加えて、アイリス機構４００を有する。
【００８３】
アイリス機構４００は、光源１０から出射される光の光路上において、光源１０と液晶パネル５０との間に設けられる。アイリス機構４００は、光源１０から出射される光を絞る機能を有する。
【００８４】
変更例１では、アイリス機構４００は、光源１０とＵＶ／ＩＲカットフィルタ２０との間に設けられるが、アイリス機構４００の配置は、これに限定されるものではない。
【００８５】
（投写型映像表示装置の機能）
以下において、変更例１に係る投写型映像表示装置の機能について、図面を参照しながら説明する。図７は、第１実施形態に係る投写型映像表示装置１００に設けられた制御ユニット２００を示すブロック図である。
【００８６】
図７に示すように、制御ユニット２００は、図４に示す構成に加えて、アイリス制御部２６０を有する。
【００８７】
アイリス制御部２６０は、アイリス機構４００を制御する。具体的には、アイリス制御部２６０は、静音モードにおいて、投写面上に投写される映像の輝度が非視聴用輝度となるように、アイリス機構４００を制御する。
【００８８】
すなわち、第１実施形態では、アイリス制御部２６０は、静音モードにおいて、投写面上に投写される映像の輝度を非視聴用輝度に減少する光量制御部を構成する。
【００８９】
ここで、アイリス制御部２６０は、静音モードにおいて、光源１０から出射される光を絞るようにアイリス機構４００を制御する。アイリス制御部２６０は、静音モードにおいて、光源１０から出射される光の全てを遮光するようにアイリス機構４００を制御してもよい。
【００９０】
（作用及び効果）
変更例１では、アイリス制御部２６０がアイリス機構４００を制御することによって、静音モードにおいて、投写面上に投写される映像の輝度が非視聴用輝度に減少される。これによって、光源１０への入力電力を安定動作電力閾値よりも減少して、フリッカが生じる場合であっても、視聴者に与える違和感が軽減される。また、第１実施形態と同様の効果が得られることは勿論である。
【００９１】
［変更例２］
以下において、第１実施形態の変更例２について説明する。以下においては、第１実施形態との相違点について主として説明する。
【００９２】
具体的には、変更例２では、上述した光源制御部２３０は、静音モードにおいて、一定時間毎に、光源１０への入力電力を安定動作電力閾値よりも増大する。すなわち、光源制御部２３０は、一定時間毎にリフレッシュ動作を行う。
【００９３】
このように、静音モードにおいて、光源１０への入力電力を安定動作電力閾値よりも減少させても、光源１０への入力電力についてリフレッシュ動作を行うことによって、光源１０の寿命短縮が抑制される。
【００９４】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００９５】
例えば、光変調素子の一例として、透過型の液晶パネル５０について説明したが、光変調素子は、これに限定されるものではない。光変調素子は、反射型の液晶パネルやＤＭＤ（Ｄｉｇｉｔａｌ  Ｍｉｃｒｏｍｉｒｒｏｒ  Ｄｅｖｉｃｅ）であってもよい。
【符号の説明】
【００９６】
１０・・・光源、２０・・・ＵＶ／ＩＲカットフィルタ、３０・・・フライアイレンズユニット、４０・・・ＰＢＳアレイ、５０・・・液晶パネル、５２、５３・・・偏光板、６０・・・クロスダイクロイックキューブ、７１〜７６・・・ミラー、８１〜８５・・・レンズ、１００・・・投写型映像表示装置、１１０・・・投写ユニット、１２０・・・照明ユニット、２００・・・制御ユニット、２１０・・・映像信号受付部、２２０・・・モード取得部、２３０・・・光源制御部、２４０・・・冷却制御部、２５０・・・素子制御部、２６０・・・アイリス制御部、３００・・・冷却装置、４００・・・アイリス機構
【図１】
2010243788.tif 000003
【図２】
2010243788.tif 000004
【図３】
2010243788.tif 000005
【図４】
2010243788.tif 000006
【図５】
2010243788.tif 000007
【図６】
2010243788.tif 000008
【図７】
2010243788.tif 000009